(57)【特許請求の範囲】
【請求項１】
油圧ポンプの圧油を受けて、駆動される一対の油圧モータの各出力軸により、それぞれ減速機構を介して左右の車軸が駆動される車輌の走行用トランスミッションにおいて、前記油圧モータの一方の出力軸に駐車ブレーキ装置を設けると共に、前記減速機構のうち、車軸よりも動力伝達上手側の回転体を互いに同一軸芯上に配置して、その間に、両回転体を互いに断接可能とするクラッチ装置を備え、該回転体は前記減速機構の入力回転体を構成し、その一方の入力回転体は一方の油圧モータの出力軸に直結され、他方の入力回転体に対して、前記他方の油圧モータの出力軸を異芯上に配置し、この両者間を伝動機構を介して連結し、前記クラッチ装置を、その内部の油圧ピストンに、一方側から少なくともスプリング力を受けさせることで両回転体の接続動作をし、他方側から油圧力を受けさせることで接続動作を解除する多板式油圧クラッチにて構成したことを特徴とする車輌の走行用トランスミッション。
【請求項２】
請求項１記載の車輌の走行用トランスミッションにおいて、前記クラッチ装置の前記油圧ピストンの一方側には、スプリング力の他に、油圧力を作用させるべく構成したことを特徴とする車輌の走行用トランスミッション。
【発明の詳細な説明】
【０００１】
【産業上の利用分野】
本発明は、クローラ式走行装置を備えた車輌において車軸駆動装置として用いる走行用トランスミッションの構成に関する。
【０００２】
【従来の技術】
従来から、油圧ポンプの圧油を受けて駆動される一対の油圧モータの各出力軸により、それぞれ減速機構を介して、左右の車軸が駆動されるようにした車輌の走行用トランスミッションの技術は公知とされているのである。
【０００３】
【発明が解決しようとする課題】
本発明は、一対の油圧ポンプと、一対の油圧モータを具備して、左右の車軸を駆動する車輌の走行用トランスミッションにおいて、操向の為に左右の油圧モータが異なる回転となる場合は車軸は別個の回転とするが、直進の場合には左右の車軸の間を機械的に連結状態として路面状態に関係なく同一速度で駆動するものである。
また、左右の車軸が別々の油圧モータで駆動される機構でありながら、駐車ブレーキ装置は１個で済むように構成したものである。
また、該駐車ブレーキ装置とクラッチ装置と油圧モータを、合理的に配置したものである。
【０００４】
【課題を解決するための手段】
本発明が解決しようとする課題は以上の如くであり、次に該課題を解決するための手段を説明する。
請求項１においては、油圧ポンプの圧油を受けて、駆動される一対の油圧モータの各出力軸により、それぞれ減速機構を介して左右の車軸が駆動される車輌の走行用トランスミッションにおいて、前記油圧モータの一方の出力軸に駐車ブレーキ装置を設けると共に、前記減速機構のうち、車軸よりも動力伝達上手側の回転体を互いに同一軸芯上に配置して、その間に、両回転体を互いに断接可能とするクラッチ装置を備え、該回転体は前記減速機構の入力回転体を構成し、その一方の入力回転体は一方の油圧モータの出力軸に直結され、他方の入力回転体に対して、前記他方の油圧モータの出力軸を異芯上に配置し、この両者間を伝動機構を介して連結し、前記クラッチ装置を、その内部の油圧ピストンに、一方側から少なくともスプリング力を受けさせることで両回転体の接続動作をし、他方側から油圧力を受けさせることで接続動作を解除する多板式油圧クラッチにて構成したものである。
【０００５】
請求項２においては、請求項１記載の車輌の走行用トランスミッションにおいて、前記クラッチ装置の前記油圧ピストンの一方側には、スプリング力の他に、油圧力を作用させるべく構成したものである。
【０００６】
【作用】
次に作用を説明する。
即ち、請求項１によれば、駐車ブレーキ装置は、それが最も低トルク状態にある出力軸上に配置されている為に、その容量が小さくてコンパクトに出来る。
【０００７】
また、車輌が直進状態にある時に、左右の減速機構の回転体を互いに接続するようクラッチ装置を作動させると、左右の車軸は走行路面の状態に関係なく同一回転速度で駆動され、車輌の直進性が向上する。車輌が駐車状態の時に、同様にクラッチ装置を作動させておくと、前記駐車ブレーキ装置の制動効果は両車軸に及ぶ為に駐車ブレーキ装置の単一化を達成でき、構成の簡素化と低コスト化が図れる。
【０００８】
また、クラッチ装置Ｃを最も低トルク状態にある出力軸上への配置を可能として、その容量の小型化、コンパクト化が図れ、伝動ケース内への組み込みも容易となる。
【０００９】
また、車輌を駐車すべくエンジンを停止すると、スプリングにより自動的にクラッチ装置が両回転体を接続する方向に作動する為に、クラッチ装置の掛け忘れといったミスが無くされ、単にエンジン停止の状態で、単一の駐車ブレーキ装置を作動させるだけで、両車軸に均等に制動力を与えられるので、駐車ブレーキ装置とクラッチ装置の連携機構も不要となる。
【００１０】
また、請求項２によれば、クラッチ装置の、両回転体の接続に要する力をスプリング力と油圧力による合力として高めることでクラッチ装置の容量を小さくすることが出来るのである。
【００１１】
【実施例】
次に実施例を説明する。
図１は本発明の車輌の走行用トランスミッションを普通形コンバインの車軸駆動装置として付設した状態の全体側面図、
図２は本発明の車輌の走行用トランスミッションのスケルトン図、
図３は本発明の車輌の走行用トランスミッションの前面断面図、
図４は本発明の車輌の走行用トランスミッションの右側面図、
図５は同じく左側面図、
図６は駐車ブレーキ装置Ｂとクラッチ装置Ｃの部分の拡大前面断面図である。
【００１２】
図７はクラッチ装置Ｃの第２実施例を示す部分拡大前面断面図、
図８は図６のクラッチ装置Ｃに対応する油圧回路図、
図９は図６のクラッチ装置Ｃに対応する第２実施例に係る油圧回路図、
図１０は図７のクラッチ装置Ｃに対応する油圧回路図、
図１１はコントローラＸの制御ブロック図、
図１２は本発明の伝動ケースＡのブリーザー３７への空気通路の構成を示す前面断面図、
図１３は同じくブリーザー３７への空気通路の他の実施例を示す前面断面図である。
【００１３】
図１において、普通形コンバインに付設した車輌の走行用トランスミッションの構成を説明する。
クローラ式走行装置Ｕの上に脱穀装置Ｋが配置されており、該脱穀装置Ｋから前方へ突出された刈取搬送装置Ｇにより穀稈を刈取り、穀稈と穂先部をそのまま一緒に脱穀装置Ｋの内部を通過させ脱穀処理するのである。
該脱穀装置Ｋの側方に、エンジンＥが配置されており、該エンジンＥにより、右走行用油圧ポンプＰＲと左走行用油圧ポンプＰＬと、作業機用油圧ポンプＰ１とチャージポンプＰ２と、油圧ポンプＰ３が駆動されている。それぞれの油圧ポンプから圧油が吐出されている。
【００１４】
本発明の車輌の走行用トランスミッションは、伝動ケースＡを基体として構成されており、その前面上方は、前記刈取搬送装置Ｇの下面に沿うように機体後方向きに傾斜するように、逆「く」の字形に形成している。
そして、伝動ケースＡの左右が突出した車軸１０Ｌ，１０Ｒはクローラ式走行装置Ｕのスプロケット２８Ｌ，２８Ｒを駆動する。
ハンドル型の操向操作具Ｄにより、右走行用油圧ポンプＰＲと左走行用油圧ポンプＰＬのポンプ斜板を独立して回動し、左右の左走行用油圧ポンプＰＬと右走行用油圧ポンプＰＲからの吐出量を変化し、油圧モータＭＬ・ＭＲの回転数を変速し操向操作を行う。該操向操作具Ｄにより操作される操向検出器Ｓが設けられており、また後述するコントローラＸが備えられている。
【００１５】
次に、図２・図３・図４・図５において、本発明の車輌の走行用トランスミッションの全体的な動力伝動経路を説明する。
伝動ケースＡの左右の側面に、上下方向で取付位置を偏位して、右走行用油圧モータＭＲと左走行用油圧モータＭＬを付設している。
本実施例においては、右走行用油圧モータＭＲの方を伝動ケースＡの上方側面に配置し、逆の側面のやや下方に左走行用油圧モータＭＬを付設している。
該右走行用油圧モータＭＲのモータ軸１ｍにカップリングを介して、出力軸１を連設し、該出力軸１に固定ギア２０が架設されている。
また、該出力軸１は伝動ケースＡの逆の側に突出した部分に駐車ブレーキ装置Ｂが配置されている。最も低トルクの軸である出力軸１に駐車ブレーキ装置Ｂを配置したことにより、駐車ブレーキ装置Ｂを小容量で小型にすることが出来たのである。
【００１６】
また、該固定ギア２０と、下段のクラッチ軸３の上の遊嵌ギア２１とは同一歯数のギアに構成されており、両ギア２０，２１の間で等速伝動機構を構成している。該等速伝動機構により、左走行用油圧モータＭＬと右走行用油圧モータＭＲは上下に偏心した位置に配置されているにも関わらず、右側の回転体であるギア２２と、左側の回転体であるギア２９とは、同一軸芯上に配置されており、両回転体２２，２９はクラッチ装置Ｃにより接続可能としている。
また、該右側の回転体であるギア２２は、固定ギア２０と遊嵌ギア２１により構成された等速伝動機構を介して、右走行用油圧モータＭＲの出力軸１と連結されている。
また、左側の回転体であるギア２９は、左走行用油圧モータＭＬの出力軸２に直結されている。このように出力軸１と出力軸２とは伝動ケースＡ内で互いに平行に配されているのであり、これによって出力軸１の軸端部に駐車ブレーキ装置Ｂを配置することが可能となるものである。
また、右側の回転体であるギア２２と左側の回転体であるギア２９は、下記に説明する減速機構の入力回転体を構成している。
【００１７】
右側の回転体であるギア２２は、第１軸４に遊嵌された大径ギア２３と噛合し、該大径ギア２３と一体化された小径ギア２４が減速軸１１Ｒ上の大径ギア２５Ｒと噛合している。
該減速軸１１の他端の小径ギア２６Ｒが車軸１０Ｒの上のギア２７Ｒと噛合し、車軸１０Ｒの他端にスプロケット２８Ｒが固定されて、クローラ式走行装置Ｕを駆動している。
同様に、左側の回転体であるギア２９は、第１軸４の上の大径ギア３０と噛合し、該大径ギア３０と一体化された小径ギア３１が減速軸１１Ｌの上の大径ギア２５Ｌと噛合している。
減速軸１１Ｌの上の小径ギア２６Ｌが、車軸１０Ｌの上のギア２７Ｌと噛合し、車軸１０Ｌの他端のスプロケット２８Ｌが駆動されている。減速機構は、第１軸４と減速軸１１Ｒ，減速軸１１Ｌと、車軸１０Ｒ，１０Ｌの上に配置されたそれぞれの大径，小径ギア連により構成されている。右側の回転体であるギア２２と左側の回転体であるギア２９は、これらの減速機構の入力回転体を構成している。
【００１８】
次に、図６において、駐車ブレーキ装置Ｂとクラッチ装置Ｃの部分の詳細な構成を説明する。
右走行用油圧モータＭＲからモータ軸１ｍが突出しており、該モータ軸１ｍに出力軸１がスプライン係合され連結されている。また左走行用油圧モータＭＬからモータ軸２ｍが突出しており、モータ軸２ｍにカップリングを介して出力軸２が連結されている。
まず、駐車ブレーキ装置Ｂの構成を説明する。
出力軸１が伝動ケースＡの逆側に突出した部分に、スプラインが形成されて、複数枚の摩擦板３５を、相対回転不能ではあるが軸線方向に沿い摺動可能に設けている。
そして、これら複数枚の摩擦板３５に対して複数枚の相手板が交互に配して設けられており、これら摩擦板３５と相手板との集合体は、該集合体の外面側においてブレーキケースＢｃ内に設けられた円環状の制動アクチュエータ３６であって軸線まわりでの回転変位によりカム手段１２にて該集合体方向に押される制動アクチュエータ３６にて圧接されるように構成してある。
制動アクチュエータ３６を、軸線まわりで回転変位させるための操作機構は次のように構成されている。
即ち、ブレーキケースＢｃには、カムレバー軸３４を軸線回りで回動自在に支持させてあり、このカムレバー軸３４のブレーキケースＢｃ内に臨む箇所にはカム部が形成すると共に、前記制動アクチュエータ３６に円周方向の一部で係合溝を形成して上記カム部をこの係合溝内に臨ませ、もってカムレバー軸３４の軸線回りでの回動変位でカム部を介して制動アクチュエータ３６を軸線回りで回動変位させるものになっている。
そして、カムレバー軸３４には、ブレーキケースＢｃ外においてブレーキレバー３３を固定してあり、このブレーキレバー３３をワイヤー等のリンク手段（図示せず）を介して車両の運転席近傍に配された駐車ブレーキ操作レバー（図示せず）と連動連結して、駐車ブレーキ操作レバーの引込み操作で上記した駐車ブレーキ装置Ｂを制動作用させるものとされている。
【００１９】
次に、クラッチ装置Ｃの構成について説明する。
該クラッチ装置Ｃは、クラッチ摩擦板７により構成した多板式油圧クラッチに構成している。
そして、該クラッチ摩擦板７を圧接する油圧ピストン１３が、クラッチケースの内部に配置されている。クラッチケースは、出力軸２に相対回転不能に結合されており、このクラッチケースの摩擦板支持部と、前記ギア２１から一体的に延出した摩擦板支持部との間に複数の摩擦板を重合してクラッチ軸線方向に摺動のみ自在に支持させて設けている。
このクラッチケース内にクラッチ軸線方向に摺動自在に配置された前記油圧ピストン１３の一側には、該油圧ピストン１３を前進（摩擦板圧接）方向に移動付勢するスプリングを収容するための部屋５が設けられ、前記油圧ピストン１３の他側には油室６が設けられている。前記油室６に圧油を供給しない時には、前記スプリングにより油圧ピストン１３が前進して摩擦板間が圧接されてクラッチ係合が行われて前記ギア２２と前記ギア２９との間が接続される。
また、前記出力軸２に穿設せる油路１７より、前記油室６に圧油を供給する時には、前記油圧ピストン１３が後退して摩擦板の間の圧接が解かれて、前記ギア２２と前記ギア２９との間の接続が断たれるようにクラッチ装置Ｃが構成されているのである。
エンジンＥが停止している車輌の停止状態においては、スプリングによりクラッチ装置Ｃが接続されるので、左右の車軸１０Ｌ，１０Ｒは接続状態であり、駐車ブレーキ装置Ｂを制動することにより、左右ともに駐車ブレーキを掛けることが出来るのである。該スプリングは皿バネにより構成されており、常時油圧ピストン１３を接続側に押圧している。
【００２０】
車輌が直進する場合には、クラッチ装置Ｃを接続状態とすべく油室６には圧油が供給されない。また車輌が操向される場合には、クラッチ装置Ｃが接続解除状態となるように、油路１７から油室６に圧油が供給されるのである。クラッチ装置Ｃが接続状態にある時には、油圧ポンプＰ３からの作動油は潤滑油として油路１５から、潤滑油口１４を経て、クラッチ摩擦板７の部分と、伝動ケースＡの上部に噴出されるのである。
該潤滑油口１４からの一部は、クラッチ軸３や第１軸の内部にも噴出されて、遊嵌ギア２１や右側の回転体であるギア２２や大径ギア２３をも潤滑すべく吐出される。前記減速機構におけるクラッチ装置Ｃを含む比較的高速回転する回転体は、伝動ケースＡ内の油溜まりの油面ＯＬよりも上方に配置されていて（図３）、その回転体に付属する被潤滑部位には、クラッチ装置Ｃが接続解除時の油圧ポンプＰ３からの圧油を導くべく構成しているのである。
これにより、伝動ケースＡ内に充填する油量を少なくでき、これにより油冷却装置を大型にすることなく、長時間走行しても油温上昇を阻止することができる。
伝動ケースＡの左側に付設され、左走行用油圧モータＭＬを取り付けるブラケット５５の上に、リリーフ弁１９のブロックと、クラッチ切換電磁弁１８が固定されている。該クラッチ切換電磁弁１８には、油圧ポンプＰ３から圧油が供給されている。該ブラケット５５に出力軸２が嵌挿された部分に圧油受継ジョイント部が構成されている。
【００２１】
図７においてクラッチ装置Ｃの別実施例を説明する。
このクラッチケース内に配置された前記油圧ピストン１３の一側及び他側には、それぞれ油室５，６を形成し、油室５には該油圧ピストン１３を前進（摩擦板圧接）方向に移動付勢するスプリングを収容している。
前記出力軸２に穿設せる油路１６を介して該油室５に圧油を供給する時には、前記スプリングと油圧力による合力により、油圧ピストン１３が前進して摩擦板間が圧接されてクラッチ係合が行われて、前記ギア２２と前記ギア２９との間が接続され、また、前記出力軸２に穿設した油路１７を介して前記油室６に圧油を供給する時には、前記油圧ピストン１３が後退して摩擦板の間の圧接が解かれて、前記ギア２２と前記ギア２９との間の接続が断たれるようにクラッチ装置Ｃが構成されているのである。
つまり、クラッチ係合を離脱作用する側の油室６に油圧作用のない状態で、係合作用する側の油室５への油圧作用が解除されていてもスプリングの作用で摩擦板間が若干の係合力で圧接され、このクラッチ装置Ｃを介して該クラッチ装置Ｃの走行時の伝達トルクよりも小さな或る量以下のトルクを伝達し得る如く構成されたものであって、このスプリングの付勢力により決定されるトルクはこのクラッチ装置Ｃよりも、動力上手側にある前記ブレーキ装置のブレーキ容量と略等しくされている。
【００２２】
図８において油圧回路を説明する。
図８は上述した図６に対応する油圧回路であって、前記左走行用油圧ポンプＰＬと左走行用油圧モータＭＬ，及び、右走行用油圧ポンプＰＲと右走行用油圧モータＭＲとは、それぞれ独立した閉回路にて接続されている。
そして、この高圧側と低圧側のそれぞれを接続可能な、パイロット油圧作動型のバイパス弁４７，４８が設けられている。
チャージポンプＰ２からの圧油は、左走行用油圧ポンプＰＬと左走行用油圧モータＭＬの閉回路と、右走行用油圧ポンプＰＲと右走行用油圧モータＭＲの閉回路内で、負圧が発生した場合に、補充すべく供給されている。
５０はチャージ油圧を設定するためのリリーフ弁である。
更に、該チャージポンプＰ２の圧油は、バイパス弁４７，４８を切り換えるバイパス作動切換弁４６に供給されている。該バイパス作動切換弁４６は、電磁式に構成されて、車両が直進状態の時には図示のａ位置に、また、操向状態の時には励磁してｂ位置に切り換えるよう前記コントローラＸにより制御されるのである。
【００２３】
車両が直進状態の時に、前記バイパス作動切換弁４６がａ位置に置かれると前記チャージポンプＰ２からの圧油を前記した両方のバイパス弁４７，４８のパイロット油室に導いてこれを切換作動させて、図示したように、前記の独立した２つの閉回路の高圧側と低圧側をそれぞれ接続するのである。
これによって、前記左走行用油圧モータＭＬと右走行用油圧モータＭＲとは並列接続された関係となって、各々のモーターＭＬ，ＭＲの回転数を一致させることができる。
また、車両が操向状態の時に前記バイパス作動切換弁４６がｂ位置に置かれると両方のバイパス弁４７，４８は、前記の独立した２つの閉回路の高圧側と低圧側をそれぞれ接続するのを解除する方向へ切り換わるのである。
これによって、前記左走行用油圧モータＭＬと右走行用油圧モータＭＲとはそれぞれ独立するので、左走行用油圧ポンプＰＬ及び右走行用油圧ポンプＰＲから吐出されるそれぞれ異なった油流を受けて各々のモータＭＬ，ＭＲの回転数を独立して変化させることができる。
【００２４】
前記チャージポンプＰ２とは別の油圧ポンプＰ３が設けられており、これを前記クラッチ装置Ｃの油圧源としているのである。該油圧ポンプＰ３の給油回路にはクラッチ切換電磁弁１８が介装されて油圧ポンプＰ３からの圧油を、前記したクラッチ装置Ｃの接続を解除する油室６につながる油路１７または、前記したクラッチ装置Ｃの周辺の被潤滑部位につながる油路１５に選択的に供給するものである。
前記クラッチ切換電磁弁１８は、車両が直進状態の時には励磁して図示のａ位置に、また、操向状態およびエンジン停止状態の時にはｂ位置に切り換えるよう前記コントローラＸにより制御されるものである。
車両が直進状態の時に前記クラッチ切換電磁弁１８がａ位置に置かれると前記油圧ポンプＰ３からの圧油を前記した油路１５に導いて、被潤滑部位に潤滑油として供給すると共に、前記クラッチ装置Ｃの前記油路１７をタンク側に連通させて前記したようにスプリングによりクラッチ係合させるのである。
また、車両が操向状態の時に前記クラッチ切換電磁弁１８がｂ位置に置かれると前記油圧ポンプＰ３からの圧油を前記した油路１７に導いてクラッチ装置Ｃの接続を解除すると共に、被潤滑部位への潤滑油供給をカットするのである。１９はクラッチ装置Ｃの解除油圧を設定するためのリリーフ弁であり、リリーフされた油は前記油路１５にみちびかれるようになっている。
【００２５】
また、チャージポンプＰ２の圧油は、モータ斜板角切換用電磁弁４５に供給されている。該モータ斜板角切換用電磁弁４５が（ロ）位置へ切り替わることにより、左走行用油圧モータＭＬと右走行用油圧モータＭＲの斜板操作シリンダ５７，５８のピストンが圧油により伸長して、モータの斜板の角度が大きくされる。モータ斜板角切換用電磁弁４５が（イ）位置に切り換えられると斜板操作シリンダ５７，５８内のスプリングにより、モータの斜板角度は元の位置に戻る。
このモータ斜板角切換用電磁弁４５を、運転席近傍に設けた副変速スイッチによって切換えることにより、モータ速度を高低の２段階に変更出来るのである。５９はラインフィルタ、６０はオイルクーラである。
６１は作動油タンクであり、本構成においては、伝動ケースＡが構成する潤滑油タンクと作動油タンク６１とは別に構成されている。伝動ケースＡ内の潤滑油は、油圧ポンプＰ３によりオイルフィルタＦを介して吸引して、クラッチ装置Ｃの油圧源に使用している。
前記油圧ポンプＰ３と一緒にエンジンＥにより駆動される可変容量型油圧ポンプＰ１は、作業機ｗの駆動系に配設した油圧モータ４４に閉回路を介して接続されていて、前記ポンプＰ１の容量変更操作によりこの作業機ｗを無段に変速制御することができる。
【００２６】
図９は、上述した図８のクラッチ装置Ｃ専用の油圧ポンプ３を廃止して、同クラッチ装置Ｃの油圧源をチャージポンプＰ２に求めたものである。
そして、クラッチ切換電磁弁１８のバルブファンクションの構成、油路１５を廃止して伝動ケースＡ内の被潤滑部位を油漬けによる潤滑方式に代えた構成、並びに、伝動ケースＡと作動油タンク６１がフィルタＦを介して油流通自在とした構成が図８の回路と異なる点であり、それ以外の構成は図８で説明したものと同一である。
また、図１０は上述した図７に対応する油圧回路であり、図８の場合と同様に前記クラッチ装置Ｃ専用の油圧源として油圧ポンプＰ３を設けている。該油圧ポンプＰ３の給油回路にはクラッチ切換電磁弁１８が介装されていて、車両が直進状態の時には前記コントローラＸにより励磁されて図示のａ位置に切り換えられ油圧ポンプＰ３からの圧油を、前記したクラッチ装置Ｃの接続を解除する油室６につながった油路１７に供給するのである。
また、車両が操向状態およびエンジン停止状態の時にはｂ位置に切り換えられ油圧ポンプＰ３からの圧油を、前記したクラッチ装置Ｃを接続する油室５につながった油路１６に供給するものである。クラッチ装置Ｃの周辺の潤滑部位につながる油路１５にはクラッチ装置Ｃの作動油圧を設定するためのリリーフ弁１９からリリーフされた油が導かれるようになっている。それ以外の構成は図８で説明したものと同一である。
【００２７】
次に、コントローラＸの制御ブロック図を図１１にもとづいて説明する。
前記したように、右走行用油圧モータＭＲの回転方向と左走行用油圧モータＭＬの回転方向とを相反するよう操作して車両の操向を行う操向操作具Ｄには、それが操向状態であるのか、或いは直進状態であるのかを検出する操向検出器Ｓが備えられている。
また、伝動ケースＡの減速軸１１Ｌ，１１Ｒの軸端部には回転数検出器９Ｌ，９Ｒが取り付けられ、左右の車軸１０Ｌ，１０Ｒの回転数が検出されている。そして前記操向検出器Ｓの信号と回転検出器９Ｌ，９Ｒの信号がコントローラＸに入力されている。
コントローラＸは、操向検出器Ｓが直進状態を検出している時には、前記クラッチ装置Ｃを接続すべく、前記クラッチ切換電磁弁１８およびバイパス作動切換弁４６をともに前記ａ位置に切り換えるべく励磁信号を出力するのである。
この結果、左右の車軸１０Ｌ，１０Ｒが走行路面に関係なく、同一回転数で駆動されることになるのである。また、コントローラＸは、操向検出器Ｓが操向状態を検出した時に前記クラッチ装置Ｃの接続を解除すべく、前記クラッチ切換電磁弁１８およびバイパス作動切換弁４６をともに前記ｂ位置に切り換える信号を出力するのである。
この結果、左走行油圧ポンプＰＬと右走行用油圧ポンプＰＲの可動斜板が相反する方向に操作された時に左右の車軸１０Ｌ，１０Ｒの回転方向および回転数は任意に変更されて駆動されることとなり車両が任意の旋回半径でスムーズに操向できるのである。
そして、この操向状態から操向検出器Ｓが再び直進状態を検出すると、コントローラＸは前記回転数検出器９Ｌ，９Ｒによる左右の車軸１０Ｌ，１０Ｒの回転数値を比較し、その差が略零に達したところで初めて前記クラッチ装置Ｃを接続すべく、前記クラッチ切換電磁弁１８およびバイパス作動切換弁４６をともに前記ａ位置に切り換える励磁信号を出力するのである。これにより車軸１０Ｌ，１０Ｒからの過大な負荷がクラッチ装置Ｃに及ぶことがなく同装置Ｃの保護を図ることができるのである。
【００２８】
次に、図１２と図１３において、ブリーザー３７への空気通路の構成を説明する。
図１２の構成においては、右走行用油圧モータＭＲを取り付ける為に、伝動ケースＡに固定したブラケット３８と、伝動ケースＡとの間において、外側にＯリング４０を嵌挿し、その内側の位置に空気通路溝４１を、ブラケット３８の全周に円弧状に穿設している。該空気通路溝４１の下端の位置に切欠部４２を設けて、該切欠部４２の部分より、伝動ケースＡの内部、及び外部の空気が出入すべく構成している。
また、図１３の構成においては、Ｏリング４０が嵌挿されている点は同じであるが、ブリーザー３７の開口部には周囲に段部５６が構成されており、該段部５６にＣ形リング４３を嵌挿し、該Ｃリング４３の切欠部４３ａから空気が出入り可能としている。この構成により油漏れの少ないブリーザ機能を奏し得るのである。
【００２９】
【発明の効果】
本発明は以上の如く構成したので、次のような効果を奏するのである。
請求項１の如く、油圧ポンプの圧油を受けて、駆動される一対の油圧モータの各出力軸により、それぞれ減速機構を介して左右の車軸が駆動される車輌の走行用トランスミッションにおいて、前記油圧モータの一方の出力軸に駐車ブレーキ装置を設けると共に、前記減速機構のうち、車軸よりも動力伝達上手側の回転体を互いに同一軸芯上に配置して、その間に、両回転体を互いに接続可能とするクラッチ装置を備えたので、前記駐車ブレーキ装置は、それが最も低トルク状態にある出力軸上に配置されている為に、その容量が小さくてコンパクトに出来る。また車輌が直進状態にある時に、両回転体を接続するようクラッチ装置を作動させると、左右の車軸は走行路面の状態に関係なく同一回転速度で駆動され、車輌の直進性が向上する。
また、車輌が駐車状態の時に、同様にクラッチ装置を作動させておくと、前記駐車ブレーキ装置の制動効果は両車軸に及ぶ為に駐車ブレーキ装置の単一化を達成でき、構成の簡素化と低コスト化が図れるのである。
また、前記回転体は前記減速機構の入力回転体を構成し、その一方の入力回転体は一方の油圧モータの出力軸に直結され、他方の入力回転体は、前記他方の油圧モータの出力軸に伝動機構を介して連結されているので、クラッチ装置を最も低トルク状態にある出力軸上への配置を可能として、その容量の小型化、コンパクト化が図れ、伝動ケース内への組み込みも容易となる。
【００３０】
また、前記クラッチ装置を、その内部の油圧ピストンに、一方側から少なくともスプリング力を受けさせることで両回転体の接続動作をし、他方側から油圧力を受けさせることで接続動作を解除する多板式油圧クラッチに構成したので、車輌を駐車すべくエンジンを停止すると、スプリングにより自動的にクラッチ装置が両回転体を接続する方向に作動するため、クラッチ装置の掛け忘れといったミスが無くされ、単にエンジン停止の状態で、単一の駐車ブレーキ装置を作動させるだけで、両車軸に均等に制動力を与えられるので、駐車ブレーキ装置とクラッチ装置の連携機構も不要となるのである。
【００３１】
請求項２の如く、クラッチ装置の前記油圧ピストンの一方側には、スプリング力の他に、油圧力を作用させるべく構成したので、クラッチ装置の、両回転体の接続に要する力をスプリング力と油圧力による合力として高めることでクラッチ装置の容量を小さくすることが出来るのである。
【図面の簡単な説明】
【図１】  本発明の車輌の走行用トランスミッションを普通形コンバインの車軸駆動装置として付設した状態の全体側面図。
【図２】  本発明の車輌の走行用トランスミッションのスケルトン図。
【図３】  本発明の車輌の走行用トランスミッションの前面断面図。
【図４】  本発明の車輌の走行用トランスミッションの右側面図。
【図５】  同じく左側面図。
【図６】  駐車ブレーキ装置Ｂとクラッチ装置Ｃの部分の拡大前面断面図。
【図７】  クラッチ装置Ｃの第２実施例を示す部分拡大前面断面図。
【図８】  図６のクラッチ装置Ｃに対応する油圧回路図。
【図９】  図６のクラッチ装置Ｃに対応する第２実施例に係る油圧回路図。
【図１０】  図７のクラッチ装置Ｃに対応する油圧回路図。
【図１１】  コントローラＸの制御ブロック図。
【図１２】  本発明の伝動ケースＡのブリーザー３７への空気通路の構成を示す前面断面図。
【図１３】  同じくブリーザー３７への空気通路の他の実施例を示す前面断面図。
【符号の説明】
Ａ  伝動ケース
Ｂ  駐車ブレーキ装置
Ｃ  クラッチ装置
Ｄ  操向操作具
Ｅ  エンジン
Ｓ  操向検出器
Ｘ  コントローラ
ＰＲ  左走行用油圧ポンプ
ＰＬ  右走行用油圧ポンプ
ＭＲ  右走行用油圧モータ
ＭＬ  左走行用油圧モータ
１，２  出力軸
３  クラッチ軸
９Ｒ，９Ｌ  回転数検出器
１０Ｒ，１０Ｌ  車軸
１３  油圧ピストン
【図１】
0003769031.tif 000002
【図２】
0003769031.tif 000003
【図３】
0003769031.tif 000004
【図４】
0003769031.tif 000005
【図５】
0003769031.tif 000006
【図６】
0003769031.tif 000007
【図７】
0003769031.tif 000008
【図８】
0003769031.tif 000009
【図９】
0003769031.tif 000010
【図１０】
0003769031.tif 000011
【図１１】
0003769031.tif 000012
【図１２】
0003769031.tif 000013
【図１３】
0003769031.tif 000014